(57)【要約】【課題】取付作業を容易にすると共に、壁仕上げ材との隙間及び床仕上げ材との隙間の双方の気密性の維持を図れるようにすること。【解決手段】壁部４の最下部と床スラブ１との間に配置される幅木用部材１０は、上部水平片１１と、上部水平片の一端から直交状に屈曲される垂直固定片１２と、垂直固定片の下端から上部水平片と平行に屈曲される下部水平片１３とからなる凹溝部１４と、下部水平片の先端から直交状に屈曲される垂下片１５とを備える。上部水平片を壁部に被着される壁パネル５の下端面に当接し、垂直固定片を壁パネルの下方における壁部の表面に当接した状態で、垂直固定片を貫通する固定ねじ２０によって固定し、垂下片によって床スラブに敷設される床仕上げ材６の立ち上がり片７の上端側外方を覆う。下部水平片と壁パネルの下端面との間の空間３０ａ内、垂下片と床仕上げ材の立ち上がり片との間の空間３０ｂ内に、シーリング材８を充填する。【選択図】    図１
2012036599.tif 000002
【特許請求の範囲】
【請求項１】
壁部の最下部と床部との間に配置される幅木の取付構造であって、
前記幅木を構成する幅木用部材は、上部水平片と、前記上部水平片の一端から直交状に屈曲される垂直固定片と、前記垂直固定片の下端から前記上部水平片と平行に屈曲される下部水平片とからなる凹溝部と、前記凹溝部の前記下部水平片の先端から下方に向かって直交状に屈曲される垂下片とを備え、
前記幅木用部材の上部水平片を前記壁部の表面に被着される壁仕上げ材の下端面に当接すると共に、前記垂直固定片を前記壁仕上げ材の下方における前記壁部の表面に当接した状態で、垂直固定片を貫通する固定部材によって固定し、かつ、前記垂下片によって前記床部に敷設される床仕上げ材の辺部の立ち上がり片の上端側外方を覆い、
前記固定部材を収容する前記凹溝部の下部水平片と前記壁仕上げ材の下端面との間に形成される空間内、及び前記垂下片と前記床仕上げ材の立ち上がり片との間に形成される空間内に、それぞれシーリング材を充填してなる、
ことを特徴とする幅木の取付構造。
【請求項２】
請求項１記載の幅木の取付構造において、
前記幅木用部材は、前記下部水平片の基端側の下面から下部水平片に対して直交状に垂下されて前記壁部の下部表面を覆う壁覆い片を更に備え、
前記床仕上げ材の立ち上がり片を前記壁覆い片の表面に沿設し、前記立ち上がり片と前記垂下片との間に形成される空間内にシーリング材を充填してなる、
ことを特徴とする幅木の取付構造。
【請求項３】
請求項２記載の幅木の取付構造において、
前記壁覆い片における上部側及び下部側の少なくとも下部側を貫通する第２の固定部材によって壁覆い片を前記壁部に固定してなる、ことを特徴とする幅木の取付構造。
【請求項４】
天井部、壁部及び床部からなる気密室であって、
上記壁部の最下部と上記床部との間に配置される幅木の取付構造を、請求項１ないし３のいずれかに記載の幅木の取付構造とした、
ことを特徴とする気密室。
【発明の詳細な説明】
【技術分野】
【０００１】
この発明は、壁部の最下部と床部との間に配置される幅木の取付構造及びそれを用いた気密室に関するものである。
【背景技術】
【０００２】
一般に、建物内部の壁部の最下部と床部との間には、隙間を隠すために幅木が配置されている。また、例えば実験室，クリーンルームや動物飼育室等の高気密性を要する気密室においては、幅木の配置箇所に防塵及び気密性を持たせている。
【０００３】
幅木の配置箇所に防塵及び気密性を持たせるために、床部に敷設される合成樹脂製のシート材からなる床仕上げ材の辺部を壁部の表面に沿わせて立ち上げ、この床仕上げ材の立ち上がり片と、壁部の表面に被着される壁仕上げ材の下端面との間に形成される空間内にシーリング材を充填している。
【０００４】
しかし、壁仕上げ材の下端面と床仕上げ材の立ち上がり片の上端との間に生じる隙間は一定ではなく誤差が多く、しかもシーリング材の断面形状が三角形状になり、シーリングの品質確保が困難かつ充填作業に手間を要するという問題があった。
【０００５】
前記問題を解決する手段として、壁仕上げ材の下端を覆う第一の固定部材と、床仕上げ材の辺部の立ち上がり片を覆うため前記第一の固定部材に係合するように形成された第二の固定部材とを備える構造が知られている（例えば、特許文献１参照）。
【先行技術文献】
【特許文献】
【０００６】
【特許文献１】特開２００６−３１６４４５号公報
【発明の概要】
【発明が解決しようとする課題】
【０００７】
しかしながら、特許文献１に記載の構造においては、幅木部材が壁仕上げ材の下端を覆う第一の固定部材と、床仕上げ材の辺部の立ち上がり片を覆うため前記第一の固定部材に係合するように形成された第二の固定部材との２部材で構成されているため、取付作業に手間を要すると共に、気密性が低下する虞がある。また、気密性を持たせるために、第二の固定部材と床仕上げ材の立ち上がり片との間にシーリング材を充填すると、シーリング材を充填する際の圧力によって第一の固定部材と第二の固定部材の係合部が外れる虞があり、気密性の維持が図れない懸念がある。
【０００８】
この発明は前記事情に鑑みてなされたもので、壁仕上げ材の最下部と床仕上げ材の立ち上がり片との間に配置される幅木用部材の取付作業を容易にすると共に、壁仕上げ材との隙間及び床仕上げ材との隙間の双方の気密性の維持を図れるようにした幅木の取付構造及びそれを用いた気密室を提供することを目的とする。
【課題を解決するための手段】
【０００９】
前記課題を達成するために、この発明の第１の幅木の取付構造は、壁部の最下部と床部との間に配置される幅木の取付構造であって、  前記幅木を構成する幅木用部材は、上部水平片と、前記上部水平片の一端から直交状に屈曲される垂直固定片と、前記垂直固定片の下端から前記上部水平片と平行に屈曲される下部水平片とからなる凹溝部と、前記凹溝部の前記下部水平片の先端から下方に向かって直交状に屈曲される垂下片とを備え、  前記幅木用部材の上部水平片を前記壁部の表面に被着される壁仕上げ材の下端面に当接すると共に、前記垂直固定片を前記壁仕上げ材の下方における前記壁部の表面に当接した状態で、垂直固定片を貫通する固定部材によって固定し、かつ、前記垂下片によって前記床部に敷設される床仕上げ材の辺部の立ち上がり片の上端側外方を覆い、  前記固定部材を収容する前記凹溝部の下部水平片と前記壁仕上げ材の下端面との間に形成される空間内、及び前記垂下片と前記床仕上げ材の立ち上がり片との間に形成される空間内に、それぞれシーリング材を充填してなる、ことを特徴とする（請求項１）。
【００１０】
このように構成することにより、幅木用部材を、上部水平片と、上部水平片の一端から直交状に屈曲される垂直固定片と、垂直固定片の下端から上部水平片と平行に屈曲される下部水平片とからなる凹溝部と、凹溝部の下部水平片の先端から下方に向かって直交状に屈曲される垂下片とを備える一部材にて形成することができる。また、取付時には、幅木用部材の上部水平片を壁仕上げ材の下端面に当接すると共に、垂直固定片を壁仕上げ材の下方における壁部の表面に当接した状態で、垂直固定片を固定部材によって固定し、垂下片によって床仕上げ材の立ち上がり片の上端側外方を覆った状態で、固定部材を収容する凹溝部の下部水平片と壁仕上げ材の下端面との間に形成される空間内、及び垂下片と床仕上げ材の立ち上がり片との間に形成される空間内に、それぞれシーリング材を充填することができる。
【００１１】
また、この発明の第２の幅木の取付構造は、前記第１の幅木の取付構造における前記下部水平片の基端側の下面から下部水平片に対して直交状に垂下されて前記壁部の下部表面を覆う壁覆い片を更に備え、  前記床仕上げ材の立ち上がり片を前記壁覆い片の表面に沿設し、前記立ち上がり片と前記垂下片との間に形成される空間内にシーリング材を充填してなる、ことを特徴とする（請求項２）。この場合、前記壁覆い片における上部側及び下部側の少なくとも下部側を貫通する第２の固定部材によって壁覆い片を前記壁部に固定する方がよい（請求項３）。
【００１２】
このように構成することにより、幅木用部材を、上部水平片と、上部水平片の一端から直交状に屈曲される垂直固定片と、垂直固定片の下端から上部水平片と平行に屈曲される下部水平片とからなる凹溝部と、凹溝部の下部水平片の先端から下方に向かって直交状に屈曲される垂下片と、下部水平片の基端側の下面から下部水平片に対して直交状に垂下されて前記壁部の下部表面を覆う壁覆い片とを備える一部材にて形成することができる。また、取付時には、幅木用部材の上部水平片を壁仕上げ材の下端面に当接すると共に、垂直固定片を壁仕上げ材の下方における壁部の表面に当接した状態で、垂直固定片を固定部材によって固定し、床仕上げ材の立ち上がり片を壁覆い片の表面に沿設し、垂下片によって立ち上がり片の上端側外方を覆った状態で、固定部材を収容する凹溝部の下部水平片と壁仕上げ材の下端面との間に形成される空間内、及び垂下片と床仕上げ材の立ち上がり片との間に形成される空間内に、それぞれシーリング材を充填することができる。この場合、壁覆い片における上部側及び下部側の少なくとも下部側を貫通する第２の固定部材によって壁覆い片を壁部に固定することにより、更に幅木用部材の固定を強固にすることができる。
【００１３】
また、この発明の気密室は、天井部、壁部及び床部からなる気密室であって、上記壁部の最下部と上記床部との間に配置される幅木の取付構造を、請求項１ないし３のいずれかに記載の幅木の取付構造とした、ことを特徴とする（請求項４）。
【００１４】
このように構成することにより、天井部、壁部及び床部からなる気密室の壁部の最下部と床部との間に気密性をもたせることができる。
【発明の効果】
【００１５】
この発明によれば、前記のように構成されているので、以下のような顕著な効果が得られる。
【００１６】
一部材にて形成される幅木用部材の上部水平片を壁仕上げ材の下端面に当接すると共に、垂直固定片を壁仕上げ材の下方における壁部の表面に当接した状態で、固定部材によって固定した状態で、固定部材を収容する凹溝部の下部水平片と壁仕上げ材の下端面との間に形成される空間内、及び垂下片と床仕上げ材の立ち上がり片との間に形成される空間内に、それぞれシーリング材を充填して気密性の維持を図ることができる。したがって、構成部材の削減が図れると共に、取付作業を容易にすることができる。また、壁仕上げ材との隙間及び床仕上げ材との隙間の双方のシール寸法を一定に保つことができ、シーリング材の接着面積を適切に確保することができるので、気密性の維持を図ることができる。
【００１７】
また、床仕上げ材の立ち上がり片を、幅木用部材の凹溝部の下部水平片の下面に垂下される壁覆い片の表面に沿設し、垂下片によって立ち上がり片の上端側外方を覆った状態で、垂下片と床仕上げ材の立ち上がり片との間に形成される空間内に、シーリング材を充填することにより、更に床仕上げ材との隙間のシール寸法を一定に保つことができると共に、シーリング材の接着面積を適切に確保することができるので、気密性の維持を図ることができる。
【００１８】
また、この発明の気密室によれば、この発明の幅木の取付構造を用いることにより、例えば実験室，クリーンルームや動物飼育室等の高気密性を要する気密室を提供することができる。
【図面の簡単な説明】
【００１９】
【図１】この発明に係る幅木の取付構造の第１実施形態を示す断面図（ａ）及び（ａ）のＩ部拡大断面図（ｂ）である。
【図２】第１実施形態の一部を切り欠いて示す概略斜視図である。
【図３】第１実施形態における幅木用部材を示す斜視図である。
【図４】この発明に係る幅木の取付構造の第２実施形態を示す断面図（ａ）及び（ａ）のII部拡大断面図（ｂ）である。
【図５】第２実施形態の一部を切り欠いて示す概略斜視図である。
【図６】第２実施形態における幅木用部材を示す斜視図である。
【発明を実施するための形態】
【００２０】
以下に、この発明を実施するための形態について、添付図面に基づいて詳細に説明する。ここでは、この発明に係る幅木の取付構造を、例えば実験室，クリーンルームや動物飼育室等の天井部、壁部及び床部からなる気密室に適用した場合について説明する。
【００２１】
＜第１実施形態＞
第１実施形態の幅木の取付構造は、図１及び図２に示すように、床部である床スラブ１の適宜の位置にアンカーボルト２によって固定されるコンクリート製の幅木３の上部に形成される壁部４の表面に被着される壁仕上げ材５（以下に壁パネル５という）の下端面と、床スラブ１の表面に敷設され、幅木３に沿って起立する床仕上げ材６の辺部の立ち上がり片７の上端部との間に配置される幅木の一部を構成する幅木用部材１０と、後述するシーリング材８を用いて壁仕上げ材５の下端面と床仕上げ材６の立ち上がり片７の上端部との隙間に気密性をもたせる構造である。
【００２２】
この場合、幅木３の上面に固定用アンカーボルト９によって上方が開口するチャンネル状の下部ランナー２１を固定し、この下部ランナー２１の内方に適宜間隔をおいて立設されるスタッド４ａ（縦材）がアングル状ブラケット４ｂによって固定されて、複数のスタッド４ａによって壁部４が骨組みされ、壁部４の表面すなわち各スタッド４ａの下部ランナー２１の長手方向に沿う表面に壁仕上げ材である壁パネル５が図示しない固定手段によって被着されている。なおこの場合、壁パネル５は、例えば石膏ボード等の板状心材５ａの表面に例えば鋼板又はアルミニウム板等の表面板５ｂを接着した構造となっている。
【００２３】
なお、各スタッド４ａの上端部は、図示しない天井部である天井パネルに固定される下方が開口するチャンネル状の上部ランナー２２によって保持されている（図２参照）。
【００２４】
また、床仕上げ材６は、例えば塩化ビニル等の合成樹脂製のシート部材にて形成されており、幅木３側の辺部に、幅木３と床スラブ１の隅部に配置される円弧状面を有するスペーサ２３の円弧面２３ａによって屈曲されると共に、幅木３の側面に沿って起立する立ち上がり片７が設けられている。
【００２５】
幅木用部材１０は、図１及び図３に示すように、上部水平片１１と、上部水平片１１の一端から直交状に屈曲される垂直固定片１２と、垂直固定片１２の下端から上部水平片１１と平行に屈曲され、上部水平片１１より長い下部水平片１３とからなる凹溝部１４と、凹溝部１４の下部水平片１３の先端から下方に向かって直交状に屈曲される垂下片１５とを備えるアルミニウム合金製の押出形材にて形成されている。なお、垂直固定片１２の表面すなわち凹溝部１４の底面側の中央部には、固定部材である固定ねじ２０の位置決め用の断面Ｖ字状の凹条１６が設けられている。この凹条１６を目印として穿設される取付孔１７ａを貫通する固定ねじ２０を壁部４を構成するスタッド４ａにねじ結合することによって幅木用部材１０が壁部４に固定される。なお、図３に示すように、固定ねじ２０は頭部２０ａに六角穴２０ｃを有しており、六角穴２０ｃに嵌合される六角レンチ等の工具によってスタッド４ａにねじ結合される。
【００２６】
次に、幅木用部材１０の取付手順について説明する。まず、幅木用部材１０の上部水平片１１を壁部４の表面に被着された壁パネル５の下端面に当接すると共に、垂直固定片１２を壁パネル５の下方における壁部４（具体的にはスタッド４ａ）の表面に当接した状態で、垂直固定片１２に設けられた取付孔１７ａを介して貫通する固定部材である固定ねじ２０によって固定する。なお、取付孔１７ａは予め設けずに固定ねじ２０によって直接設けてもよい。幅木用部材１０を固定した状態で、垂下片１５によって床スラブ１に敷設される床仕上げ材６の辺部の立ち上がり片７の上端側外方を覆う。
【００２７】
次に、固定ねじ２０の頭部２０ａを収容する凹溝部１４の下部水平片１３と壁パネル５の下端面との間に形成される空間３０ａ内にバックアップ材２４を介してシーリング材８を充填する。また、垂下片１５と床仕上げ材６の立ち上がり片７との間に形成される空間３０ｂ内にシーリング材８を充填して取付作業を完了する。
【００２８】
前記第１実施形態の取付構造によれば、一部材からなる幅木用部材１０によって壁パネル５の下端部の隙間と、床仕上げ材６の立ち上がり片７との隙間の双方をシーリング材８によってシールすることができる。また、幅木用部材１０の上部水平片１１が壁パネル５の下端面に当接した状態で固定されるので、下部水平片１３と壁パネル５の下端面とのシール寸法を一定にすることができ、シーリング材８のシール面積を適切に確保することができる。更に、幅木用部材１０の垂下片１５が幅木３の側面に沿って起立する床仕上げ材６の立ち上がり片７の上部外面を覆った状態となるので、垂下片１５と床仕上げ材６の立ち上がり片７とのシール寸法を一定にすることができ、シーリング材８のシール面積を適切に確保することができる。
【００２９】
また、上記第１実施形態の幅木の取付構造を気密室Ｒ（図２参照）に適用することにより、気密室Ｒに高気密性をもたせることができる。
【００３０】
＜第２実施形態＞
次に、この発明に係る幅木の取付構造の第２実施形態について説明する。第２実施形態は、床スラブ１の表面に下部ライナー２１を介して直接スタッド４ａを立設して壁部４を形成した場合である。第２実施形態において、幅木３を設けない以外は第１実施形態と同じであるので、第１実施形態と同じ部分には同一符号を付して説明は省略する。
【００３１】
第２実施形態における幅木用部材１０Ａは、図４及び図６に示すように、上部水平片１１と、上部水平片１１の一端から直交状に屈曲される垂直固定片１２と、垂直固定片１２の下端から上部水平片１１と平行に屈曲され、上部水平片１１より長い下部水平片１３とからなる凹溝部１４と、凹溝部１４の下部水平片１３の先端から下方に向かって直交状に屈曲される垂下片１５と、下部水平片１３の基端側の下面から下部水平片１３に対して直交状に垂下されて壁部４（スタッド４ａ）の下部表面を覆う壁覆い片１８を備えるアルミニウム合金製の押出形材にて形成されている。この場合、壁覆い片１８の上部側と下部側の２箇所には、それぞれ裏面側（壁部側）に向かって互いに平行な２条のリブ１８ａが突設されると共に、両リブ１８ａ間がリブ１８ａ間以外の壁覆い片１８の部分より肉厚に形成された固定部１９ａ，１９ｂが設けられている。このように、固定部１９ａ，１９ｂにおいて、２条のリブ１８ａ間を肉厚にした理由は、固定ねじを貫通する場合の強度を持たせるためである。
【００３２】
次に、第２実施形態の幅木用部材１０の取付手順について説明する。まず、幅木用部材１０Ａの上部水平片１１を壁部４の表面に被着された壁パネル５の下端面に当接すると共に、垂直固定片１２を壁パネル５の下方における壁部４（具体的にはスタッド４ａ）の表面に当接すると共に、壁覆い片１８を壁部４（スタッド４ａ）の下部表面の近傍位置に配置した状態で、垂直固定片１２に設けられた取付孔１７ａを介して貫通する第２の固定部材である固定ねじ２０をスタッド４ａにねじ結合すると共に、壁覆い片１８の下部側の固定部１９ｂに設けられた皿孔状の取付孔１７ｂを介して貫通する固定部材である頭部２０ｂが平坦円錐状の固定ねじ２０Ａをスタッド４ａにねじ結合して固定する。このようにして、幅木用部材１０Ａを固定した後、床仕上げ材６の立ち上がり片７を壁覆い片１８の表面に沿わせて起立させ、立ち上がり片７の上端側外方を垂下片１５によって覆う。
【００３３】
次に、固定ねじ２０Ａの頭部２０ｂを収容する凹溝部１４の下部水平片１３と壁パネル５の下端面との間に形成される空間３０ａ内にバックアップ材２４を介してシーリング材８を充填する。また、垂下片１５と床仕上げ材６の立ち上がり片７との間に形成される空間３０ｂ内にシーリング材８を充填して取付作業を完了する。
【００３４】
前記第２実施形態の取付構造によれば、第１実施形態と同様に、一部材からなる幅木用部材１０Ａによって壁パネル５の下端部の隙間と、床仕上げ材６の立ち上がり片７との隙間の双方をシーリング材８によってシールすることができる。また、第１実施形態と同様に、幅木用部材１０Ａの上部水平片１１が壁パネル５の下端面に当接した状態で固定されるので、下部水平片１３と壁パネル５の下端面とのシール寸法を一定にすることができ、シーリング材８のシール面積を適切に確保することができる。更に、第２実施形態の取付構造によれば、幅木用部材１０Ａの垂下片１５が壁覆い片１８の表面に沿って起立する床仕上げ材６の立ち上がり片７の上部外面を覆った状態となるので、垂下片１５と床仕上げ材６の立ち上がり片７とのシール寸法を一定にすることができ、シーリング材８のシール面積を適切に確保することができる。
【００３５】
なお、前記説明では、幅木用部材１０Ａの壁覆い片１８の下部側の固定部１９ｂを貫通する固定ねじ２０Ａをスタッド４ａにねじ結合して幅木用部材１０Ａを固定する場合について説明したが、更に固定を強固にするためには、上部側の固定部１９ａにおいて同様に固定ねじ２０Ａをスタッド４ａにねじ結合して幅木用部材１０Ａを固定してもよい。
【００３６】
また、上記第２実施形態の幅木の取付構造を気密室ＲＡ（図５参照）に適用することにより、気密室ＲＡに高気密性をもたせることができる。
【符号の説明】
【００３７】
１  床スラブ（床部）
４  壁部
４ａ  スタッド
５  壁パネル（壁仕上げ材）
６  床仕上げ材
７  立ち上がり片
８  シーリング材
１０，１０Ａ  幅木用部材
１１  上部水平片
１２  垂直固定片
１３  下部水平片
１４  凹溝部
１５  垂下片
１８  壁覆い片
２０  固定ねじ（固定部材）
２０Ａ  固定ねじ（第２の固定部材）
３０ａ，３０ｂ  空間
Ｒ，ＲＡ  気密室
【図１】
2012036599.tif 000003
【図２】
2012036599.tif 000004
【図３】
2012036599.tif 000005
【図４】
2012036599.tif 000006
【図５】
2012036599.tif 000007
【図６】
2012036599.tif 000008